(57)【要約】本発明は多段折り畳み式温水マットに関する。本発明による多段折り畳み式温水マットは、折り畳みラインで区画された複数の単位マットで形成され、前記折り畳みラインを中心に隣接する単位マットを折り畳むことができるマット部；前記折り畳みラインに接しないように前記各単位マットの内部にそれぞれジグザグに配設され、少なくとも１つ以上の流入口及び流出口が備えられる温水配管；及び隣接する単位マットの温水配管の流入口と流出口とを相互連結する温水連結配管を含み、前記単位マットを折り畳みラインを中心に折り畳んだとき、前記温水配管が折り曲げられないことを特徴とする。【選択図】図２
2013536395.tif 000002
【特許請求の範囲】
【請求項１】
折り畳みラインで区画された複数の単位マットで形成され、前記折り畳みラインを中心に隣接する単位マットを折り畳むことができるマット部と、
前記折り畳みラインに接しないように前記各単位マットの内部にそれぞれジグザグに配設され、少なくとも１つ以上の流入口及び流出口が備えられる温水配管と、
隣接する単位マットの温水配管の流入口と流出口とを相互連結する温水連結配管と、を含み、
前記単位マットを折り畳みラインを中心に折り畳んだとき、前記温水配管が折り曲げられないことを特徴とする多段折り畳み式温水マット。
【請求項２】
前記温水配管に加熱された温水を循環させるための温水ボイラーをさらに含むことを特徴とする請求項１に記載の多段折り畳み式温水マット。
【請求項３】
前記温水連結配管が、前記温水配管の流入口及び流出口に回転自在に連結されることを特徴とする請求項１または請求項２に記載の多段折り畳み式温水マット。
【請求項４】
前記温水連結配管が、軟質の伸縮可能な材質でなることを特徴とする請求項３に記載の多段折り畳み式温水マット。
【請求項５】
前記温水連結配管が、流入口及び流出口に着脱可能なことを特徴とする請求項３に記載の多段折り畳み式温水マット。
【請求項６】
前記マット部が、前記温水連結配管を保護できる保護カバーをさらに含むことを特徴とする請求項５に記載の多段折り畳み式温水マット。
【請求項７】
前記マット部が、前記単位マット毎に分離できることを特徴とする請求項６に記載の多段折り畳み式温水マット。
【請求項８】
前記温水配管が曲げられる部分は、温水配管が折られることを防止するための弾性材質の保護パイプで包まれていることを特徴とする請求項７に記載の多段折り畳み式温水マット。
【請求項９】
前記保護パイプが、弾性材質でなるバネ状であることを特徴とする請求項８に記載の多段折り畳み式温水マット。
【発明の詳細な説明】
【技術分野】
【０００１】
本発明は、温水ボイラーによって加熱された温水を用いる温水マットに関し、より詳しくは、温水マットに配設された温水配管が折り曲げられることで損傷することを防止でき、多段に折り畳んで容易に保管することができる多段折り畳み式温水マットに関する。
【背景技術】
【０００２】
一般に、暖房用マットは、室内の床を局部的に暖房するか又は保温するために使用するものであって、電気マットと温水マットが使用されている。
【０００３】
従来は、電気発熱線をマット内部の全面に亘って配設し、電気による熱線の発熱を用いる電気マットが主に使用されたが、電気を使用するため火事または感電事故の危険性が高く、自体の電気的特性によって人体に有害な電磁波を発するという問題点があった。
【０００４】
そこで、近年は電気マットの問題点を解消するため、高温の温水を用いる伝統的なオンドル方式を採用した温水マットが脚光を浴びている。温水マットは電気マットと違って温水を熱源として使用するため、電気による有害電磁波が全く発生せず、エネルギー効率が高いという長所を有している。
【０００５】
図１は、このような温水マットを示した概略図である。図１に示されたように、従来の温水マット１は緩衝力を有するマット２と、前記マット２の内部全面に亘ってジグザグに配設され、温水を循環させる温水配管３と、前記温水配管３の両端部に連結され、温水配管３に適正温度に加熱された温水を供給する温水ボイラー４を含んでなる。
【０００６】
このような温水マット１は、冬季または季節の変わり目の一定期間のみに使用するため、温水マット１を使用しない季節には折り畳んで保管しなければならない。ところが、温水マット１の場合、電気熱線を使用する電気マットに比べて相対的に大径の温水配管３を使用しており、温水を循環させるために温水配管３がマット２の全面に亘って連続的に配設されなければならないため、折り畳んで保管した後、再び広げたとき、折り曲げられた温水配管３の部分に屈曲又は亀裂（ｃｒａｃｋ）が生じることがあった。
【０００７】
このように温水配管３に屈曲が生じれば、温水が円滑に循環しなくなり、暖房という本来の機能を果たせなくなる。特に、温水配管３に亀裂が生じれば、亀裂から温水が流出し、ユーザに致命的な火傷を負わせる恐れがあるという問題点があった。それ故に、本発明が属する技術分野では、温水マットを多段に折り畳んで容易に保管できる方案が切実に求められている。
【発明の概要】
【発明が解決しようとする課題】
【０００８】
本発明は、上記問題点に鑑みてなされたものであり、温水マットの温水配管構造を改善し、温水マットを多段に折り畳んで保管しても温水配管に屈曲や亀裂が生じない多段折り畳み式温水マットを提供することを目的とする。
【課題を解決するための手段】
【０００９】
上記の目的を達成するため、本発明による多段折り畳み式温水マットは、折り畳みラインで区画された複数の単位マットで形成され、前記折り畳みラインを中心に隣接する単位マットを折り畳むことができるマット部；前記折り畳みラインに接しないように前記各単位マットの内部にそれぞれジグザグに配設され、少なくとも１つ以上の流入口及び流出口が備えられる温水配管；及び隣接する単位マットの温水配管の流入口と流出口とを相互連結する温水連結配管を含み、前記単位マットを折り畳みラインを中心に折り畳んだとき、前記温水配管が折り曲げられないことを特徴とする。
【００１０】
望ましくは、前記温水配管に加熱された温水を循環させるための温水ボイラーをさらに含む。
【００１１】
望ましくは、前記温水連結配管が前記温水配管の流入口及び流出口に回転自在に連結される。
【００１２】
望ましくは、前記温水連結配管が軟質の伸縮可能な材質でなる。
【００１３】
望ましくは、前記温水連結配管が流入口及び流出口に着脱可能である。
【００１４】
望ましくは、前記マット部が前記温水連結配管を保護できる保護カバーをさらに含む。
【００１５】
望ましくは、前記マット部を前記単位マット毎に分離することができる。
【００１６】
望ましくは、前記温水配管が曲げられる部分は、温水配管が折られることを防止するための弾性材質の保護パイプで包まれ、前記保護パイプは弾性材質でなるバネ状である。
【発明の効果】
【００１７】
本発明によれば、温水マットのマット部が複数の単位マットで分離形成されるため、使用しないときは温水マットを多段に折り畳んで容易に保管することができる。また、温水マットを多段に折り畳んだ状態で、温水マットに温水を循環させる温水配管が重ねられることで折り曲げられることを防止することができる。それにより、温水マットを長期間折り畳んで保管する場合も、温水マット内部の温水配管が変形するか又は破損することがなく、温水マットを安全に長期間使用することができる。
【図面の簡単な説明】
【００１８】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【００１９】
【図１】従来の温水マットを示した概略図である。
【図２】本発明による多段折り畳み式温水マットの構成を示した概略図である。
【図３】本発明による多段折り畳み式温水マットの変形例を示した図である。
【図４】図２の多段折り畳み式温水マットの一部を拡大して示した拡大図である。
【図５ａ】本発明による多段折り畳み式温水マットが折り畳まれる状態を示した図である。
【図５ｂ】本発明による多段折り畳み式温水マットが折り畳まれる状態を示した図である。
【図５ｃ】本発明による多段折り畳み式温水マットが折り畳まれる状態を示した図である。
【図６】本発明による温水配管の変形例を示した図である。
【発明を実施するための形態】
【００２０】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２１】
図２は本発明による多段折り畳み式温水マットの構成を示した概略図であり、図３は本発明による多段折り畳み式温水マットの変形例を示した図であり、図４は図２の多段折り畳み式温水マットの一部を拡大して示した拡大図であり、図５ａないし図５ｃは本発明による多段折り畳み式温水マットが折り畳まれる状態を示した図であり、図６は本発明による温水配管の変形例を示した図である。
【００２２】
図２ないし図４を参照すれば、本発明による多段折り畳み式温水マット１００は、マット部１１０、温水配管１２０、温水連結配管１３０及び温水ボイラー１４０を含む。
【００２３】
前記マット部１１０は、折り畳みライン１１５で区画された複数の単位マット１１１、１１２、１１３で形成される。それぞれの単位マット１１１、１１２、１１３は、前記折り畳みライン１１５を中心に多段に折り畳むことができる。
【００２４】
図２には、前記マット部１１０が３つの単位マット１１１、１１２、１１３でなる３段構造として示されているが、本発明はこれに限定されず、２段又は３段以上の多段に構成することもできる。また、前記マット部１１０は、暖房のために室内の床やベッドの上に敷いて使用できるマットレスの大きさに製造することができるが、図３に示されたように、２段構造の小さいサイズで製造して座布団として使用することもできる。
【００２５】
前記マット部１１０は、内部に前記温水配管１２０が配設され、温水配管１２０を通って循環する温水によって暖房が行われる。また、前記マット部１１０は、スポンジなどのような緩衝力を有する材質を含んでなる。また、マット部１１０は前記単位マット１１１、１１２、１１３毎に分離して保管することができる。この場合、前記マット部１１０の折り畳みライン１１５にジッパーやベルクロテープなどのような別の締結手段を設ける。
【００２６】
前記温水配管１２０は、耐熱性が良く、熱伝達効率の高い材質でなり、前記マット部１１０の内部にジグザグに配設される。ただし、前記マット部１１０の単位マット１１１、１１２、１１３を折り畳みライン１１５を中心に折り畳んだとき、温水配管１２０が折り曲げられないようにマット部１１０の折り畳みライン１１５に接しないように配設される。すなわち、温水配管１２０は前記マット部１１０の各単位マット１１１、１１２、１１３の内部にそれぞれジグザグに配設され、少なくとも１つ以上の流入口１２１ａ、１２１ｂ及び流出口１２２ａ、１２２ｂが備えられる。
【００２７】
前記流入口１２１ａ、１２１ｂ及び流出口１２２ａ、１２２ｂは、前記単位マット１１１、１１２、１１３の側面に備えられ、単位マット１１１、１１２、１１３内の温水配管１２０に／から温水を流入／流出するための入出口である。このとき、前記流入口１２１ａ、１２１ｂ及び流出口１２２ａ、１２２ｂは、前記単位マット１１１、１１２、１１３にそれぞれ少なくとも１つ以上備えられる。これは単位マット１１１、１１２、１１３に個別的に配設された温水配管１２０を１つのラインとして連結するためであり、相互隣接する単位マット１１１、１１２、１１３にそれぞれ配設された温水配管１２０の流入口１２１ａ、１２１ｂと流出口１２２ａ、１２２ｂとは前記温水連結配管１３０を介して相互連結される。
【００２８】
前記温水連結配管１３０は、図４に示されたように、前記マット部１１０の外部で、隣接する単位マット１１１、１１２、１１３の内部にそれぞれ配設された温水配管１２０の流入口１２１ａ、１２１ｂと流出口１２２ａ、１２２ｂとを相互連結し、温水の流入と流出を１つのラインで連結する。また、温水連結配管１３０は、マット部１１０外部へ最小限に突出するような大きさと形態で形成することが望ましい。
【００２９】
具体的に、前記温水配管１２０は、前記マット部１１０の最外郭に位置した流入口１２１ａ及び流出口１２２ａが前記温水ボイラー１４０に連結され、第１単位マット１１１の右側方に第１流入口１２１ａ及び第１流出口１２２ａが位置し、左側方に第２流入口１２１ｂ及び第２流出口１２２ｂが位置し、次の単位マットにも同様に位置する。このとき、温水ボイラー１４０に連結された単位マット１１１と反対側の終端に位置した単位マット１１３では、左側に温水を伝達する必要がないため、温水配管１２０の流入口１２１及び流出口１２２が１つずつ構成される。
【００３０】
前記温水連結配管１３０は、第１単位マット１１１の第２流出口１２２ｂと第２単位マット１１２の第１流入口１２１ａとを相互連結する内側温水連結配管１３１と、第２単位マット１１２の第１流出口１２２ａと第１単位マット１１１の第２流入口１２１ｂとを相互連結する外側温水連結配管１３２で構成される。
【００３１】
前記温水連結配管１３０は、熱遮断効率の高い材質でなり、繰り返して曲げられても屈曲又は亀裂が生じない軟質の材質でなる。
【００３２】
また、前記温水連結配管１３０は、伸びてから再び元の状態に復元する伸縮可能な材質でなり得、前記温水配管１２０の流入口１２１ａ、１２１ｂ及び流出口１２２ａ、１２２ｂに回転自在に連結される。この場合、図５ａないし図５ｃに示されたように、前記マット部１１０が広げられた状態で前記温水連結配管１３０は、前記マット部１１０と水平の状態で温水配管１２０の流入口１２１ａ、１２１ｂ及び流出口１２２ａ、１２２ｂに連結される（図５ａ）。その後、前記マット部１１０が徐々に折り畳まれれば、前記温水連結配管１３０はマット部１１０の折り畳み方向と逆方向に回転するようになる（図５ｂ）。次いで、前記マット部１１０が完全に折り畳まれれば、前記温水連結配管１３０はマット部１１０が折り畳まれる間に回転し続け、水平の連結状態から垂直の状態になって温水配管１２０の流入口１２１ａ、１２１ｂ及び流出口１２２ａ、１２２ｂに連結される（図５ｃ）。このように、前記温水連結配管１３０が折り曲げられることなく、前記マット部１１０のみを折り畳むことができる。
【００３３】
また、前記マット部１１０は、前記温水連結配管１３０を保護できる保護カバー（図示せず）をさらに含み得る。
【００３４】
前記温水ボイラー１４０としては、一般に温水マットに使用される公知の温水ボイラーを使用し、例えば、温水タンク、温水タンクの水を加熱するヒーター、及び温水タンクの水を前記温水配管１２０を通って循環させる循環ポンプを含んでなり得る。
【００３５】
一方、以上の実施例では、前記温水連結配管１３０が温水配管１２０の流入口１２１ａ、１２１ｂ及び流出口１２２ａ、１２２ｂに常に連結されている場合について説明したが、本発明はこれに限定されることなく、前記温水マット１００を使用しないときは、前記温水連結配管１３０と温水配管１２０の流入口１２１ａ、１２１ｂ及び流出口１２２ａ、１２２ｂとの間の連結状態を解除できるように、前記温水連結配管１３０を着脱可能に構成することもできる。この場合、前記流入口１２１ａ、１２１ｂ及び流出口１２２ａ、１２２ｂに逆止弁機能を付与することで、前記温水連結配管１３０が分離されても温水配管１２０の内部に残留し得る水が流出することを防止することができる。
【００３６】
また、図６に示されたように、本発明による温水マット１００は、前記温水配管１２０を包むことができる弾性材質でなる保護パイプ１２５をさらに含み得る。これは、前記温水配管１２０がジグザグ状に配設されることで、温水配管１２０が曲げられる一定区間Ｂが存在するようになり、該区間で温水配管１２０が損傷する恐れがあるためである。
【００３７】
前記保護パイプ１２５は、前記温水配管１２０が曲げられる区間Ｂに備えられ、温水配管１２０が曲げられる区間Ｂの形態を維持し、この部分が損傷することを防止できる。また、保護パイプ１２５はバネ状の構造的弾性体でなるか、またはウレタンやゴム材質の材質的弾性体でなり得る。
【００３８】
以上、本発明を限定された実施例と図面に基づいて説明したが、本発明はこれによって限定されず、本発明が属する技術分野で通常の知識を持つ者によって本発明の技術思想と特許請求範囲の均等範囲内で多様な修正及び変形が可能であることは言うまでもない。
【図１】
2013536395.tif 000003
【図２】
2013536395.tif 000004
【図３】
2013536395.tif 000005
【図４】
2013536395.tif 000006
【図５ａ】
2013536395.tif 000007
【図５ｂ】
2013536395.tif 000008
【図５ｃ】
2013536395.tif 000009
【図６】
2013536395.tif 000010
【国際調査報告】
2013536395.tif 000011
2013536395.tif 000012
2013536395.tif 000013
2013536395.tif 000014